(57)【要約】  【課題】  巻取ドラムに連結された昇降コードを用いて遮蔽材を下端から巻取りまたは巻解くようにした日射遮蔽装置において、誤動作を防止する。  【解決手段】  遮蔽材１２の上端がヘッドボックス１０に連結され、ヘッドボックス１０から垂下する昇降コード１４の一端が遮蔽材１２下端部で折り返されてヘッドボックス１０に連結される。ヘッドボックス１０には駆動軸１８が回転可能に支持されて、昇降コード１４の他端は駆動軸１８上に配置された巻取ドラム１６に巻取り・巻解き可能に連結されており、駆動軸１８を介して巻取ドラム１６へと回転力を与えるための操作部２０が設けられている。操作部２０の操作によって巻取ドラム１６が回転して昇降コード１４が昇降して遮蔽材１２を下端から巻取りまたは巻解くことによって遮蔽材１２の昇降を行なう。さらに、昇降コード１４が巻取ドラム１６から完全に巻解かれた状態で操作部２０が操作されたときに、巻取ドラム１６の所定方向の回転によってのみ昇降コード１４を巻取るように、巻取ドラム１６の回転を規制する逆巻防止部３０を設ける。【選択図】  図１
2005320829.tif 000002
【特許請求の範囲】
【請求項１】
遮蔽材（１２）の上端が支持部材（１０）に連結され、支持部材（１０）から垂下する昇降コード（１４）の一端が遮蔽材（１２）下端部で折り返されて支持部材（１０）に連結されており、昇降コード（１４）が昇降して遮蔽材（１２）を下端から巻取りまたは巻解くことによって遮蔽材（１２）の昇降を行なうようにした日射遮蔽装置において、
支持部材（１０）には駆動軸（１８）が回転可能に支持されて、昇降コード（１４）の他端は駆動軸（１８）上に配置された巻取ドラム（１６）に巻取り・巻解き可能に連結されており、
駆動軸（１８）を介して巻取ドラム（１６）へと回転力を与えるための操作部（２０）が設けられており、
昇降コード（１４）が巻取ドラム（１６）から完全に巻解かれた状態で操作部（２０）が操作されたときに、巻取ドラム（１６）の所定方向の回転によってのみ昇降コード（１４）を巻取るように、巻取ドラム（１６）の回転を規制する逆巻防止手段（３０）が設けられることを特徴とする日射遮蔽装置。
【請求項２】
前記逆巻防止手段（３０）は、操作部（２０）と巻取ドラム（１６）との間に設けられ、操作部（２０）からの巻取ドラム（１６）への前記所定方向と反対方向の回転伝達を遮断することを特徴とする請求項１記載の日射遮蔽装置。
【請求項３】
前記巻取ドラム（１６）に前記所定方向と反対方向の回転が遮蔽材（１２）から伝達されたときに、その所定方向と反対方向の回転を選択的に阻止または許容するストッパー（２８）がさらに設けられることを特徴とする請求項１または２記載の日射遮蔽装置。
【発明の詳細な説明】
【技術分野】
【０００１】
本発明は、遮蔽材の上端が支持部材に連結され、支持部材から垂下する昇降コードの一端が遮蔽材下端部で折り返されて支持部材に連結されており、昇降コードが昇降して遮蔽材を下端から巻取りまたは巻解くことによって遮蔽材の昇降を行なうようにした日射遮蔽装置に関する。
【背景技術】
【０００２】
従来、この種の日射遮蔽装置としては、実公昭３７−３０４７９号公報に示される巻揚自在式すだれがある。これによれば、すだれの上桟の両端の２個のすだれ吊下用環具に通された紐が、すだれの上桟に沿い且つすだれの表裏両面にわたってかけ渡され、再びすだれの上桟に設けられた２個のすだれ吊下用環具の穴を貫通して、その端はすだれの中央上部に設けられたすだれの紐止金具に固着された環を通して張り渡される。そして、紐の端は、紐止金具に廻動自在に取り付けられた環と弾性挟持片とによる挟止部によって挟止される。紐止金具によって挟止された紐を引き下ろすと、すだれが下方から巻上げられるようになっており、紐を操作することによって、すだれの昇降を行なうことができる。
【０００３】
しかしながら、このようなすだれの表裏両面にわたってかけ渡された紐を直接操作する紐タイプの日射遮蔽装置においては、製品サイズが大きく重量が重くなると、紐の操作荷重が重くなってしまう、という問題がある。
【０００４】
これに対して、すだれ等の遮蔽材を巻上げる昇降コードを駆動軸上に配置された巻取ドラムに巻取るようにし、その駆動軸の端部に設けた操作部によって駆動軸を回転させるドラムタイプの日射遮蔽装置にすれば、製品サイズが大きく重量が重いものにも適用することが可能になる。このドラムタイプの場合、操作部を操作して、駆動軸及び巻取ドラムを回転させて昇降コードを巻取りまたは巻解くと、すだれが巻上げまたは巻下しを行ってすだれの昇降を行なうことができる。
【０００５】
ところで、このようなドラムタイプでは、操作部の操作によって巻取ドラムをいずれの方向にも回転させることができる。即ち、昇降コードが巻取ドラムから完全に巻解かれた状態においては、操作部を操作して駆動軸及び巻取ドラムをいずれの方向へと回転させても、巻取ドラムが昇降コードを正巻または逆巻にて巻取ることができるので、遮蔽材を巻上げることができる。ところが、その正巻と逆巻の２つの場合では、巻取ドラムの昇降コード巻取り方向と昇降コード巻解き方向の回転方向の関係が全く逆になってしまうために、このことに起因して誤動作が発生するおそれがある、という問題がある。
【０００６】
【特許文献１】実公昭３７−３０４７９号公報
【発明の開示】
【発明が解決しようとする課題】
【０００７】
本発明はかかる課題に鑑みなされたもので、巻取ドラムに連結された昇降コードを用いて遮蔽材を下端から巻取りまたは巻解くようにした日射遮蔽装置において、誤動作を防止することができる日射遮蔽装置を提供することをその目的とする。
【課題を解決するための手段】
【０００８】
前述した目的を達成するために、請求項１記載の発明は、遮蔽材の上端が支持部材に連結され、支持部材から垂下する昇降コードの一端が遮蔽材下端部で折り返されて支持部材に連結されており、昇降コードが昇降して遮蔽材を下端から巻取りまたは巻解くことによって遮蔽材の昇降を行なうようにした日射遮蔽装置において、支持部材には駆動軸が回転可能に支持されて、昇降コードの他端は駆動軸上に配置された巻取ドラムに巻取り・巻解き可能に連結されており、駆動軸を介して巻取ドラムへと回転力を与えるための操作部が設けられており、昇降コードが巻取ドラムから完全に巻解かれた状態で操作部が操作されたときに、巻取ドラムの所定方向の回転によってのみ昇降コードを巻取るように、巻取ドラムの回転を規制する逆巻防止手段が設けられることを特徴とする。
【０００９】
前記逆巻防止手段は、昇降コードが巻取ドラムから完全に巻解かれた状態で操作部のそれ以上の操作を阻止するものとすることができるが、請求項２記載の発明は、請求項１記載の逆巻防止手段が、操作部と巻取ドラムとの間に設けられ、操作部から巻取ドラムへの前記所定方向と反対方向の回転伝達を遮断するものであることを特徴とする。
【００１０】
また、請求項３記載の発明は、請求項１または２記載のものにおいて、前記巻取ドラムに前記所定方向と反対方向の回転が遮蔽材から伝達されたときに、その所定方向と反対方向の回転を選択的に阻止または許容するストッパーがさらに設けられることを特徴とする。
【発明の効果】
【００１１】
本発明によれば、昇降コードが巻取ドラムから完全に巻解かれた状態で操作部が操作されたときに、逆巻防止手段が巻取ドラムの回転を規制するので、巻取ドラムは、常に所定方向の回転で昇降コードを巻取るようになる。これにより、常に、巻取ドラムの所定方向の回転は昇降コード巻取り方向、所定方向と反対方向の回転は昇降コード巻解き方向の回転となるように動作させることができ、反対の関係になることはないので、誤動作の発生を防止することができる。
【００１２】
また、請求項２記載の発明によれば、操作部から巻取ドラムへの前記所定方向と反対方向の回転が伝達されそうになったときに、逆巻防止手段がその回転伝達を遮断するために、巻取ドラムの所定方向と反対方向の回転で昇降コードを巻取ることを防ぐことができる。
【００１３】
また、請求項３記載の発明によれば、遮蔽材に作用する重力によって、遮蔽材から前記所定方向と反対方向の回転が巻取ドラムに伝達されるが、ストッパーがその巻取ドラムの回転を阻止することによって、遮蔽材の高さを保持することができる。また、ストッパーがその巻取ドラムの回転を許容することによって、遮蔽材を下降させることができる。前述のように巻取ドラムの昇降コード巻取り方向が所定方向に定まっているので、ストッパーも確実に動作することができる。
【発明を実施するための最良の形態】
【００１４】
以下、図面を用いて本発明の実施の形態を説明する。
【００１５】
図１は本発明の実施形態にかかる日射遮蔽装置の全体斜視図である。
【００１６】
図において、１０は壁枠、天井面、壁面、窓枠等の固定部にブラケット１１によって固定される支持部材であるヘッドボックスであり、ヘッドボックス１０の背面には、遮蔽材１２の上端部が連結されている。遮蔽材１２は、図示の例では木製の経木タイプの遮蔽材となっているが、例えば、布、合成樹脂等の任意の素材で構成することができる。ヘッドボックス１０と遮蔽材１２の上端部の連結は、固定的な連結または面ファスナ等を使用した着脱可能な連結のいずれとすることもできる。遮蔽材１２の下端部には、遮蔽材１２の巻上げ時の芯となる円筒形のウエイトバー１２ａが設けられている。尚、符号１３は、ヘッドボックス１０の正面にその上端が連結されたバランスである。
【００１７】
ヘッドボックス１０からは昇降コード１４の一端側が垂下されている。昇降コード１４の一端側は、遮蔽材１２の下端部のウエイトバー１２ａの周囲で折り返した後、再び上昇しており、昇降コード１４の一端１４ａは、図３に示したように、ヘッドボックス１０の背面から突出するコードホルダー１０ａに連結されている。
【００１８】
一方、昇降コード１４の他端は、ヘッドボックス１０内に配設される巻取ドラム１６に巻取り・巻解き可能に連結されている。巻取ドラム１６は、ヘッドボックス１０内においてその長手方向に沿って且つ回転可能に軸支される駆動軸１８上に配置され、駆動軸１８と共に回転可能となっている。
【００１９】
駆動軸１８の一端には、操作部２０が設けられる。操作部２０は、プーリ２２と、プーリ２２に巻掛けられた無端状操作コード２４とから構成される。
【００２０】
また、駆動軸１８の中央部には、ストッパー２８が設けられる。ストッパー２８は、遮蔽材１２に作用する重力に反して、遮蔽材１２を任意の昇降位置で停止させることができるように、駆動軸１８及び巻取ドラム１６の回転を停止させるためのものであり、言い換えれば、巻取ドラム１６及び駆動軸１８の昇降コード１４巻解き方向の回転の阻止・許容を選択する一方で、駆動軸１８の昇降コード１４巻取り方向の回転については常に許容している。その具体的な動作を説明すると、駆動軸１８に昇降コード１４巻取り方向の回転力が作用した後、その方向の回転が停止されて昇降コード１４巻解き方向の回転力が作用すると、駆動軸１８の昇降コード１４巻解き方向の回転を阻止する。これによって、遮蔽材１２の重力による下降が禁止される。さらに、ストッパー２８は、この巻解き方向の回転阻止状態にある駆動軸１８に対して昇降コード１４巻取り方向の回転力が作用すると、回転阻止状態を解除して、駆動軸１８の昇降コード１４巻取り方向及び巻解き方向のいずれの回転も許容する。このようなストッパー２８は、例えば、特開２００２−１０６２６８号公報等でストッパー装置として作用するクラッチ装置として公知となった任意のストッパーを使用することができる。
【００２１】
さらに、駆動軸１８には、巻取ドラム１６と操作部２０との間に、昇降コード逆巻防止部３０が設けられる。昇降コード逆巻防止部３０において、駆動軸１８は入力軸１８ａと出力軸１８ｂとに分離されており、入力軸１８ａは前記操作部２０側の軸となり、プーリ２２に相対回転不能に連結され、出力軸１８ｂは巻取ドラム１６が配置される側の軸となる。
【００２２】
昇降コード逆巻防止部３０は、図６ないし図８に詳細に示したように、ケース３２と、入力軸１８ａと一体になった入力部３４と、クラッチ３６と、出力軸１８ｂが相対回転不能に挿入される出力部３８と、クラッチ押さえバネ４０とから構成される。入力部３４に形成された軸３４ａは、クラッチ３６を貫通して出力部３８の内部へと挿入されており、クラッチ３６に対して相対回転不能に、出力部３８に対しては相対回転可能にそれぞれ連結される。クラッチ３６には、その外周部分にラチェット爪３６ａが周方向に所定間隔をあけて形成されている。また、出力部３８には、ラチェット爪３６ａと噛み合い可能となった突起３８ａが周方向に所定間隔をあけて形成されている。また、クラッチ押さえバネ４０は、クラッチ３６を常時、出力部３８の方へと付勢している。
【００２３】
この昇降コード逆巻防止部３０の動作を説明すると、入力軸１８ａから昇降コード１４巻取り方向の回転が入力されると、入力部３４及びクラッチ３６が同じ方向に回転し、ラチェット爪３６ａが出力部３８の突起３８ａに噛み合うため、出力部３８も同じ方向に回転する。反対に、入力軸１８ａから昇降コード１４巻解き方向の回転が入力されると、入力部３４及びクラッチ３６は同じ方向に回転するが、クラッチ爪３６ａの回転が突起３８ａと噛み合わないために、出力部３８は回転しない。
【００２４】
以上のように構成される日射遮蔽装置の作用を説明する。
【００２５】
まず、図１及び図３に示すように、遮蔽材１２が完全に下降している状態から上昇させるには、操作部２０の操作コード２４を操作して、昇降コード１４巻取り方向へとプーリ２２を回転させる。プーリ２２からの回転は、入力軸１８ａを介して昇降コード逆巻防止部３０に入力し、前述のクラッチ３６の作用により、出力部３８を介して出力軸１８ｂへと伝わり、巻取ドラム１６が回転して、昇降コード１４を巻取る。この巻取りにより、ヘッドボックス１０から導出される昇降コード１４の一端側の長さが短くなっていくと共に、昇降コード１４は、遮蔽材１２の下端部のウエイトバー１２ａにおいて、図３に示す昇降コード巻取り方向に移動するため、ウエイトバー１２ａが矢印の方向へと回転して、遮蔽材１２の下端部がウエイトバー１２ａに巻取られていき、遮蔽材１２は巻上げられて上昇する（図４参照）。遮蔽材１２が完全に上昇すると、図５に示すようになる。操作コード２４の操作を停止すると、駆動軸１８及び巻取ドラム１６には、遮蔽材１２に作用する重力により、昇降コード１４巻解き方向の回転力が作用するが、ストッパー２８が作用して駆動軸１８の昇降コード１４巻解き方向への回転を阻止するために、その状態を維持することができる。
【００２６】
また、図５に示す状態から、操作コード２４を昇降コード１４巻取り方向へと少し操作した後、操作コード２４への操作力を解除すると、ストッパー２８による回転阻止が解除され、駆動軸１８は昇降コード１４巻解き方向へと回転することができて、遮蔽材１２は巻下ろされて下降する。遮蔽材１２が完全に下降すると、図３に示す状態に戻る。
【００２７】
今、図３の状態で、操作者が誤って操作コード２４を昇降コード１４巻解き方向へと操作することを考える。従来は、巻取ドラム１６が所定の正規の昇降コード１４巻取り方向と逆方向に回転しても、巻取ドラム１６が昇降コード１４を逆巻に巻取ることができるため、遮蔽材１２は、図４に示すのと同様にウエイトバー１２ａに巻取られてしまう（図９参照）。このとき、巻取ドラム１６の巻取り方向と巻解き方向との関係が正規の関係と反対になってしまうために、ストッパー２８の動作が逆になってしまう。ストッパー２８は、上述のように、巻取ドラム１６及び駆動軸１８の昇降コード１４巻解き方向の回転の阻止・許容を選択する一方で、駆動軸１８の昇降コード１４巻取り方向の回転については常に許容している。ところが、昇降コード１４が逆巻された状態では、巻取り方向と巻解き方向の関係が反対になるので、操作コード２４の操作を一旦やめると、ストッパー２８が作用して巻取ドラム１６及び駆動軸１８の回転を阻止するために、遮蔽材１２の上昇を続けることができなくなり誤動作が発生してしまう。
【００２８】
これに対して、本実施形態では、仮に、図３に示す状態で、操作コード２４が所定の正規の昇降コード１４巻解き方向へと操作されると、昇降コード逆巻防止部３０において、クラッチ３６が空転し、出力部３８にその操作力が伝達されないために、巻取ドラム１６は逆方向に回転することはなく、操作者は、クラッチ３６が出力部３８に対して空回りして音を発生するために、誤操作であることにすぐに気づき、正しい方向に操作コード２４を操作することができる。
【００２９】
こうして、本発明によれば、誤操作及び誤動作を防ぐことができる。
【００３０】
尚、以上説明した昇降コード逆巻防止部は、操作部２０と巻取ドラム１６との間に設けられており、操作部２０の誤操作に対して空転するようになっているが、これに限るものではなく、操作部２０の操作コード２４に設けられたストッパーとすることもできる。ストッパーは、図３に示した、昇降コード１４が巻取ドラム１６から完全に巻解かれた位置で、それ以上の昇降コード巻解き方向への操作を阻止するべく、ヘッドボックス等と干渉するものとすることができる。但し、この変形例の場合には、操作コード２４の操作長さ：昇降コードの巻取長さが１：２以上、即ち２倍以上の伝達比で昇降コードを巻取ることができることが望ましい。なぜならば、この日射遮蔽装置では、昇降コード１４が遮蔽材１２の下端部を折り返しており、遮蔽材１２の上昇長さに対して昇降コードの巻取り長さは２倍となっているからである。
【図面の簡単な説明】
【００３１】
【図１】本発明の実施形態にかかる日射遮蔽装置の全体正面図である。
【図２】図１の日射遮蔽装置のヘッドボックス（支持部材）の内部構造を表す正面図である。
【図３】図１の日射遮蔽装置の側面図であり、遮蔽材が最下降位置にある状態を表す。
【図４】図１の日射遮蔽装置の側面図であり、遮蔽材の昇降途中状態を表す。
【図５】図１の日射遮蔽装置の側面図であり、遮蔽材が最上昇位置にある状態を表す。
【図６】昇降コード逆巻防止部の正面図である。
【図７】昇降コード逆巻防止部の内部部品の分解斜視図である。
【図８】昇降コード逆巻防止部の縦断面図である。
【図９】従来の遮蔽材の逆巻状態を表す側面図である。
【符号の説明】
【００３２】
１０  ヘッドボックス（支持部材）
１２  遮蔽材
１４  昇降コード
１６  巻取ドラム
１８  駆動軸
２０  操作部
２８  ストッパー
３０  昇降コード逆巻防止部
【図１】
2005320829.tif 000003
【図２】
2005320829.tif 000004
【図３】
2005320829.tif 000005
【図４】
2005320829.tif 000006
【図５】
2005320829.tif 000007
【図６】
2005320829.tif 000008
【図７】
2005320829.tif 000009
【図８】
2005320829.tif 000010
【図９】
2005320829.tif 000011